【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
放送番組の映像、及び蓄積された画像を視聴可能なテレビ受信装置であって、
第１のチャンネルが選択された場合に前記放送番組の映像を表示させる第１の表示制御手段と、
第２のチャンネルが選択された場合に、蓄積された複数の静止画からなる画像群を順次切り替えて表示するスライドショー表示を行う第２の表示制御手段と、
前記第１及び第２のチャンネルをそれぞれ対応するチャンネルボタンで直接選択する操作である直接選局と、当該チャンネルをチャンネルｕｐボタン又はチャンネルｄｏｗｎボタンで順次選択する操作である順次選局と、の少なくとも２つの選局操作を実行可能な操作手段と、を備え、
前記第２の表示制御手段は、前記操作手段により前記第２のチャンネルが直接選局された場合と順次選局された場合とで、異なる形態で前記スライドショー表示を行うように制御することを特徴とするテレビ受信装置。
【請求項２】
前記第２の表示制御手段は、
前記操作手段により前記第２のチャンネルが直接選局された場合は、該選局操作が行われたことに応じて、前記スライドショー表示を開始し、
前記操作手段により前記第２のチャンネルが順次選局された場合は、該選局操作が行われたことに応じて、前記蓄積された複数の静止画からなる画像群の中から所定の条件で選択された代表画像を表示させるプレビュー表示を行った後で、前記スライドショー表示を開始するように制御することを特徴とする請求項１に記載のテレビ受信装置。
【請求項３】
前記代表画像は、前記蓄積された複数の静止画からなる画像群の中から所定の条件で選択された複数の画像を含むことを特徴とする請求項２に記載のテレビ受信装置。
【請求項４】
放送番組の映像、及び蓄積された動画コンテンツを視聴可能なテレビ受信装置であって、
第１のチャンネルが選択された場合に前記放送番組の映像を表示させる第１の表示制御手段と、
第２のチャンネルが選択された場合に、前記蓄積された動画コンテンツを再生して表示させる第２の表示制御手段と、
前記第１及び第２のチャンネルをそれぞれ対応するチャンネルボタンで直接選択する操作である直接選局と、当該チャンネルをチャンネルｕｐボタン又はチャンネルｄｏｗｎボタンで順次選択する操作である順次選局と、の少なくとも２つの選局操作を実行可能な操作手段と、を備え、
前記第２の表示制御手段は、前記操作手段により前記第２のチャンネルが直接選局された場合と順次選局された場合とで、異なる形態で前記動画コンテンツの表示を行うように制御することを特徴とするテレビ受信装置。
【請求項５】
前記第２の表示制御手段は、
前記操作手段により前記第２のチャンネルが直接選局された場合は、該選局操作が行われたことに応じて、前記動画コンテンツの再生を開始し、
前記操作手段により前記第２のチャンネルが順次選局された場合は、該選局操作が行われたことに応じて、前記動画コンテンツの中から抽出した代表画像を表示させるプレビュー表示を行った後で、前記動画コンテンツの再生を開始するように制御することを特徴とする請求項４に記載のテレビ受信装置。
【請求項６】
前記代表画像は、前記動画コンテンツの中から抽出された複数の画像を含むことを特徴とする請求項５に記載のテレビ受信装置。
【請求項７】
放送番組の映像、及び蓄積された画像を視聴可能なテレビ受信装置の表示制御方法であって、
第１のチャンネルが選択された場合に前記放送番組の映像を表示させる第１の表示制御工程と、
第２のチャンネルが選択された場合に、蓄積された複数の静止画からなる画像群を順次切り替えて表示するスライドショー表示を行う第２の表示制御工程と、
前記第１及び第２のチャンネルをそれぞれ対応するチャンネルボタンで直接選択する操作である直接選局と、当該チャンネルをチャンネルｕｐボタン又はチャンネルｄｏｗｎボタンで順次選択する操作である順次選局と、の少なくとも２つの選局操作を実行可能な操作工程と、を備え、
前記第２の表示制御工程は、前記操作工程により前記第２のチャンネルが直接選局された場合と順次選局された場合とで、異なる形態で前記スライドショー表示を行うように制御することを特徴とする表示制御方法。
【請求項８】
放送番組の映像、及び蓄積された動画コンテンツを視聴可能なテレビ受信装置の表示制御方法であって、
第１のチャンネルが選択された場合に前記放送番組の映像を表示させる第１の表示制御工程と、
第２のチャンネルが選択された場合に、前記蓄積された動画コンテンツを再生して表示させる第２の表示制御工程と、
前記第１及び第２のチャンネルをそれぞれ対応するチャンネルボタンで直接選択する操作である直接選局と、当該チャンネルをチャンネルｕｐボタン又はチャンネルｄｏｗｎボタンで順次選択する操作である順次選局と、の少なくとも２つの選局操作を実行可能な操作工程と、を備え、
前記第２の表示制御工程は、前記操作工程により前記第２のチャンネルが直接選局された場合と順次選局された場合とで、異なる形態で前記動画コンテンツの表示を行うように制御することを特徴とする表示制御方法。
【請求項９】
請求項７又は８に記載の表示制御方法をテレビ受信装置のコンピュータに実行させるためのプログラム。
【請求項１０】
請求項９に記載のプログラムを記憶したことを特徴とするコンピュータ可読記憶媒体。
【手続補正２】
【補正対象書類名】明細書
【補正対象項目名】０００９
【補正方法】変更
【補正の内容】
【０００９】
上記課題を解決するために、本発明に係るテレビ受信装置は、放送番組の映像、及び蓄積された画像を視聴可能なテレビ受信装置であって、第１のチャンネルが選択された場合に前記放送番組の映像を表示させる第１の表示制御手段と、第２のチャンネルが選択された場合に、蓄積された複数の静止画からなる画像群を順次切り替えて表示するスライドショー表示を行う第２の表示制御手段と、前記第１及び第２のチャンネルをそれぞれ対応するチャンネルボタンで直接選択する操作である直接選局と、当該チャンネルをチャンネルｕｐボタン又はチャンネルｄｏｗｎボタンで順次選択する操作である順次選局と、の少なくとも２つの選局操作を実行可能な操作手段と、を備え、前記第２の表示制御手段は、前記操作手段により前記第２のチャンネルが直接選局された場合と順次選局された場合とで、異なる形態で前記スライドショー表示を行うように制御する。
【手続補正３】
【補正対象書類名】明細書
【補正対象項目名】００１０
【補正方法】変更
【補正の内容】
【００１０】
また、本発明に係るテレビ受信装置は、放送番組の映像、及び蓄積された動画コンテンツを視聴可能なテレビ受信装置であって、第１のチャンネルが選択された場合に前記放送番組の映像を表示させる第１の表示制御手段と、第２のチャンネルが選択された場合に、前記蓄積された動画コンテンツを再生して表示させる第２の表示制御手段と、前記第１及び第２のチャンネルをそれぞれ対応するチャンネルボタンで直接選択する操作である直接選局と、当該チャンネルをチャンネルｕｐボタン又はチャンネルｄｏｗｎボタンで順次選択する操作である順次選局と、の少なくとも２つの選局操作を実行可能な操作手段と、を備え、前記第２の表示制御手段は、前記操作手段により前記第２のチャンネルが直接選局された場合と順次選局された場合とで、異なる形態で前記動画コンテンツの表示を行うように制御する。
【手続補正４】
【補正対象書類名】明細書
【補正対象項目名】００１１
【補正方法】変更
【補正の内容】
【００１１】
また、本発明のテレビ受信装置の表示制御方法は、放送番組の映像、及び蓄積された画像を視聴可能なテレビ受信装置の表示制御方法であって、第１のチャンネルが選択された場合に前記放送番組の映像を表示させる第１の表示制御工程と、第２のチャンネルが選択された場合に、蓄積された複数の静止画からなる画像群を順次切り替えて表示するスライドショー表示を行う第２の表示制御工程と、前記第１及び第２のチャンネルをそれぞれ対応するチャンネルボタンで直接選択する操作である直接選局と、当該チャンネルをチャンネルｕｐボタン又はチャンネルｄｏｗｎボタンで順次選択する操作である順次選局と、の少なくとも２つの選局操作を実行可能な操作工程と、を備え、前記第２の表示制御工程は、前記操作工程により前記第２のチャンネルが直接選局された場合と順次選局された場合とで、異なる形態で前記スライドショー表示を行うように制御する。
【手続補正５】
【補正対象書類名】明細書
【補正対象項目名】００１２
【補正方法】変更
【補正の内容】
【００１２】
また、本発明のテレビ受信装置の表示制御方法は、放送番組の映像、及び蓄積された動画コンテンツを視聴可能なテレビ受信装置の表示制御方法であって、第１のチャンネルが選択された場合に前記放送番組の映像を表示させる第１の表示制御工程と、第２のチャンネルが選択された場合に、前記蓄積された動画コンテンツを再生して表示させる第２の表示制御工程と、前記第１及び第２のチャンネルをそれぞれ対応するチャンネルボタンで直接選択する操作である直接選局と、当該チャンネルをチャンネルｕｐボタン又はチャンネルｄｏｗｎボタンで順次選択する操作である順次選局と、の少なくとも２つの選局操作を実行可能な操作工程と、を備え、前記第２の表示制御工程は、前記操作工程により前記第２のチャンネルが直接選局された場合と順次選局された場合とで、異なる形態で前記動画コンテンツの表示を行うように制御する。